(57)【要約】      （修正有）【課題】  特にフラッシュを使わなくともカメラ付き携帯電話機のカメラで読み取れるＱＲコード（登録商標）を持つＱＲコードを印刷したタグを提供する。【解決手段】  少なくとも片面にＱＲコード３が印刷されたプラスチックカードと、該プラスチックカードを収納する紐付きケース５およびこのケースの蓋６で構成されるタグ組立であって、前記ケースの蓋の側面又はタグを組立た時に前記側面に対向するケース内側の壁に蛍光体が貼り付け又は塗布により設けられた蛍光体７が配置され、前記ＱＲコード周辺には熱溶着により設けたゴールド又はシルバー印刷部４を設けた構成としたＱＲコードと、反射手段と、蛍光体を具備したタグ組立とした。また、別発明では、ＱＲコードを蛍光体照明手段を介してゴールド又はシルバー印刷にてプラスチックカードの上に印刷し、前記ＱＲコード周辺にはゴールド又はシルバー印刷部を熱溶着により設けた構成とした。【選択図】  図２
2008035784.tif 000002
【特許請求の範囲】
【請求項１】
少なくとも片面にＱＲコードが印刷されたプラスチックカードと、該プラスチックカードを収納する紐付きケースおよびこのケースの蓋で構成されるタグ組立であって、前記ケースの蓋の側面又はタグを組立た時に前記側面に対向するケース内側の壁に蛍光体が貼り付け又は塗布により設けられた蛍光体が配置され、前記ＱＲコード周辺にはゴールド又はシルバー印刷部が設けられていることを特徴とするＱＲコードと、反射手段と、蛍光体を具備したタグ組立。
【請求項２】
ＱＲコード印刷体と、該ＱＲコード印刷帯を収納する紐付きケースおよびこのケースの蓋で構成されるタグ組立であって、前記ＱＲコード印刷体は、プラスチックカードの上に形成された蛍光体照明手段の上にＱＲコードをゴールド又はシルバー印刷した構成とされ、前記ＱＲコード周辺にはゴールド又はシルバー印刷部が設けられていることを特徴とするＱＲコードと、反射手段と、蛍光体を具備したタグ組立。
【発明の詳細な説明】
【技術分野】
【０００１】
本発明は、例えば照明の乏しい室内においてもカメラ付き携帯電話などでもＱＲコード（登録商標）が認識し易いＱＲコード（登録商標）を印刷したタグに関する。
【背景技術】
【０００２】
カメラ付き携帯電話機の普及でＱＲコード（登録商標）が様々な分野で活用されるようになり、例えばペットなどのＩＤタグとしての活用などが期待されている。
【０００３】
例えば、ＩＤタグのひとつであるネームタグについては、特許文献１において、名前、写真など識別に必要な所定の事項を表示した表示カードと、該表示カードが挿入された状態で、前記表示カードの記載事項が視認できる透明表示部を有するケースと、該ケースを装着する携帯手段を具備したネームタグにおいて電池を使った照明用光源を使う構成が記載されている。
【０００４】
また、電池を使わない方法として、特許文献２には、画像処理機能を有する処理装置を備えた移動体の識別及び監視を行う移動体識別監視装置において、移動体固有の情報を符号化し、この符号化された記号を前記移動体に表示するとともに、この符号化された記号に重ねて、或いは符号化された記号の周囲に蛍光塗料を塗布した前記移動体と、前記符号化された記号を撮像可能なカメラと、このカメラで撮像された前記符号化された記号を画像処理し、前記移動体固有の情報の読み取り機能を有する処理装置と、前記蛍光塗料の発色を促す投光器とからなる移動体識別監視装置についての記載がある。
【０００５】
更に、特許文献３には、ラベル作成手段が作成するＱＲコード（登録商標）ラベルが、ＱＲコード（登録商標）を表示するための表示面と、当該表示面の裏側となる貼付面とを備え、当該表示面の少なくとも一部及び／又は表示したＱＲコード（登録商標）に蛍光性を持たせてある竣工検査システムについての記載がある。
【特許文献１】特開２００４−３１７８２０
【特許文献２】特開２００６−１０７３５９
【特許文献３】実用新案出願２００５−８２２５
【発明の開示】
【発明が解決しようとする課題】
【０００６】
ところが、特許文献１の発明では、電池を使って照明しているので、例えばペットのＩＤタグとして使うには電池のメンテナンスが必要となり、また電池や照明用の光源なども搭載れているので大きさ的にもペット向きではない。
【０００７】
また、特許文献２においては、移動体識別監視装置は、蛍光塗料の発色を促す投光器を使ってＱＲコード（登録商標）を認識させているが、例えばペットにＱＲコード（登録商標）を付けた場合には投光器は使えない。
【０００８】
更に、特許文献３においては、ＱＲコード（登録商標）に蛍光色、形状特性を持たせているが、前記ＱＲコード（登録商標）の貼付対象は建築物であり、場合によってはフラッシュの使用も可能であるが、やはり例えばペットにＱＲコード（登録商標）を付けた場合には投光器は使えない。
【０００９】
つまり、上記の引用文献に記載された発明では、前記カメラ付き携帯電話でＱＲコード（登録商標）を撮影しようとすると、晴れた日の屋外に撮影する場合には問題ないが、屋内あるいは屋外であっても夕方や夜ではフラッシュを使わなくてはＱＲコード（登録商標）の認識は難しい。特に、ペットなどに付けたＱＲコード（登録商標）タグの場合には、フラッシュを使ってＱＲコード（登録商標）の認識改善を行おうとするとペットを驚かせることになりフラッシュの使用は好ましくないということが課題となる。
【課題を解決するための手段】
【００１０】
上記の課題を解決すべく、本発明においては、少なくとも片面にＱＲコード（登録商標）が印刷されたプラスチックカードと、該プラスチックカードを収納する紐付きケースおよびこのケースの蓋で構成されるタグ組立であって、前記ケースの蓋の側面又はタグを組立た時に前記側面に対向するケース内側の壁に蛍光体が貼り付け又は塗布により設けられた蛍光体が配置され、前記ＱＲコード（登録商標）周辺にはゴールド又はシルバー印刷部を熱溶着により設けたＱＲコード（登録商標）と、反射手段と、蛍光体を具備したタグ組立とした。
【００１１】
これにより、例えばカメラ付き携帯電話のカメラでＱＲコード（登録商標）を撮影する場合においても、不十分な採光環境であっても前記発光手段およびゴールド／シルバー印刷部によりＱＲコード（登録商標）が間接的に照明を受けるのでＱＲコード（登録商標）の認識がし易くなる。
【００１２】
また、少なくとも片面にＱＲコード（登録商標）が印刷されたプラスチックカードと、該プラスチックカードを収納する紐付きケースおよびこのケースの蓋で構成されるタグ組立において、前記ＱＲコード（登録商標）を蛍光体照明手段の上に印刷し、前記ＱＲコード（登録商標）周辺にはゴールド又はシルバー印刷部を熱溶着により設けたＱＲコード（登録商標）と、反射手段と、蛍光体を具備したタグ組立とした。
【００１３】
更に、暗い場所においてはＱＲコード（登録商標）の下地あるいは周辺にブラックライトインクを使うことも考えられる。この場合は、ブラックライトを発光するの安価な装置を使うだけで、ペットに不必要な不安を与えることなくＱＲコード（登録商標）だけを鮮明にカメラで撮影することが出来るのでペットＩＤタグ用途として安心して使えるものとなる。
【発明の効果】
【００１４】
本発明によるＱＲコード（登録商標）と、反射手段と、蛍光体を具備したタグ組立は、ペットなどのＩＤ情報を持つＱＲコード（登録商標）を印刷したタグに発光手段を持たせ、ケースに光反射手段を持たせることにより、例えばカメラ付き携帯電話機のカメラでペットなどに取り付けた前記タグのＱＲコード（登録商標）を撮影する時に十分な外光が得られない場所でも、ＱＲコード（登録商標）を認識し易くなるので、例えば前記ペットが迷子になった時にでもタグが蛍光体により認識し易くなり、またペットに対してフラッシュによる精神的なダメージを与えることなくＩＤ情報を取得できて、かかりつけの動物病院などに連絡をとることが可能となる。
【発明を実施するための最良の形態】
【００１５】
以下、本発明を実施するための最良の形態を図面に基づいて詳細に説明する。なお、以下の説明において、同一機能を有するものは同一の符号とし、その繰り返しの説明は省略する。また、ＱＲコード（登録商標）は登録商標であるが、以下においてはその記載（登録商標）を省略する。
【００１６】
図１は、本発明の第１実施例に係るタグ組立の外観図である。タグ組立１にはＱＲコード印刷体としてのプラスチックカード２が嵌め込まれている。該プラスチックカード２の上にはシート又は塗布層で形成された蛍光体７が設けられ、その上にゴールド又はシルバーでＱＲコード３が印刷されている。前記プラスチックカード２上のＱＲコード３周辺部にはゴールド印刷が施されたゴールド又はシルバー印刷部４が配置されていて、ケース５内部に入射する光を乱反射させてケース内部を間接的に照明する機能を持つ。
【００１７】
前記ゴールド又はシルバー印刷部４の形状は、プラスチックカード２上で、ＱＲコード３の印刷領域以外であればどの領域に、どのような形状形成しても構わないが、上下左右に設けなくとも、例えば上下一対又は左右一対に設けるだけでも十分な反射効果が得られる。
【００１８】
またケース５には、携帯用の鎖６が取り付けられていて、例えば犬の首輪などに連結出来る構造を持つ。前記鎖６は、鎖に限定せず、同様の機能を持つストラップや他の金具でも良い。
【００１９】
図２は、第１実施例に係る蛍光体の上にＱＲコードを印刷したタグ組立の断面図である。プラスチックカード２の表面に蛍光体７が塗布叉は接着され、その上にＱＲコード３およびゴールド又はシルバー印刷部４が印刷される。
【００２０】
ＱＲコード３およびゴールド又はシルバー印刷部４を、例えばＦａｒｇｏ（登録商標）のカードプリンターＤＴＣ４００で、ゴールドのリボンＦａｒｇｏ  Ｇｏｌｄ  Ｒｉｂｂｏｎ（製品番号４４２３７）を使って印刷する場合は、ゴールドの樹脂を熱溶着して印刷するので、蛍光体７の表面にラッカーなどで表面処理しておくか、薄い耐熱シートを貼付してその上に印刷すると印刷の乗りが良い。
【００２１】
上記の工程で作られた、ＱＲコード３とゴールド又はシルバー印刷部４を印刷したプラスチックカード２をケース５の中に置き、ケース蓋６をケース５の開口部に嵌め込むことによりタグ組立１が完成する。
【００２２】
前記タグ組立１において、外部から入射光８ａがケース蓋６に入射すると、ゴールド又はシルバー印刷部４に反射し（８ｂ）、更にケース蓋６の内部で再反射されて再反射光８ｃがＱＲコード３を照射する。ここで、ＱＲコード３の印刷部分（ゴールド樹脂が存在する部分）においては、前記再反射光８ｃがケース蓋６を通して外部に再反射されるが、印刷されていない部分は、蛍光体７に蓄積されて蓄積光として発光することによりＱＲコード３のコントラスト比を高くする。
【００２３】
図３には、本発明の第２実施例に係るタグ組立１の分解図が示されている。ケース５に掘られた円筒内側の壁面には蛍光体７が塗布されている。前記円筒内部にはＱＲコード３およびゴールド又はシルバー印刷部４が印刷されたプラスチックカード２が挿入され、その上からケース蓋部６が嵌め込まれた構造になっている。前記ＱＲコード３はプラスチックカード２の上に昇華方式又は熱転写方式カードプリンターで印刷されているので、万が一ケース５内部に水分が侵入してもＱＲコードが読めなくなるといった問題は無く、正確にＱＲコード３を読み取ることが出来る。
【００２４】
前記蛍光体７は、ケース５の前記円筒内側の壁面に塗布しても良いし、ケース蓋５ａの前記円筒内部の壁面に接する側面に塗布しても良い。更に、ＱＲコード３の読み取りを妨げない程度に半透明なシールの形状として、ＱＲコード３の上に貼り付けておくことも考えられる。
【００２５】
図４は、第２実施例に係る側面に蛍光体を配置したタグ組立の断面図である。ＱＲコード３およびゴールド又はシルバー印刷部４が印刷されたプラスチックカード２がケース５の中に収納され、その上からケース蓋６が嵌め込まれてタグ組立１が完成する。
【００２６】
前記タグ組立１において、入射光８ａがケース蓋６に入射すると、ゴールド又はシルバー印刷部４に反射し（８ｂ）、更にケース蓋６の内部で再反射され（８ｃ）てＱＲコード３を照射する。ケースによる乱反射の効果としては、ゴールド印刷だけでなく、シルバー印刷でも類似の効果は得られるが、例えばＦａｒｇｏ（登録商標）のカードプリンターＤＴＣ４００で、ゴールドのリボンＦａｒｇｏ  Ｇｏｌｄ  Ｒｉｂｂｏｎ（製品番号４４２３７）とシルバーのリボンＦａｒｇｏ  Ｓｉｌｖｅｒ  Ｒｉｂｂｏｎ（製品番号４４２３８）を使った実験では、蛍光灯および太陽光を光源とした場合にはゴールド印刷の方が読み取り確率が高かった。
【００２７】
前記において、ケース蓋６の表面は、曲面よりも平坦な方がカメラ付き携帯電話での読み取りが容易となる。
【００２８】
図５は、従来のＱＲコードタグ組立（左側）と本発明によるＱＲコードと、反射手段と、蛍光体を具備したタグ組立（右側）の比較である。従来は黒インクなどを使ってプラスチックカード２に印刷していたのでカメラ付き携帯電話機などのカメラを使って撮影すると背景の白い部分に強い光が当たらないとＱＲコード３の認識が難しかったが、本発明のＱＲコード３は、例えばゴールド印刷によるＱＲコード３印刷であれば、ゴールド印刷されたＱＲコード３自体が光るのでコントラスト比が高くなりカメラ付き携帯電話機などのカメラによる認識度が高まる。
【産業上の利用可能性】
【００２９】
ペットブームで国産だけでなく海外からも日本に沢山の犬などのペットが輸入されている。フランスなどのように法律でＲＦＩＤタグの埋め込みが義務化されれば迷子のペットの身元証明も楽であるが、現状では個々の飼い主がペットにＩＤ認証手段を付与しなくてはならない。本発明のＱＲコードと、反射手段と、蛍光体を具備したタグ組立であれば、蛍光塗料により蓄積光あるいはサーチライト光に反応してタグ自身が発光するのでタグの存在を簡単に知ることができるし、またゴールド印刷部の乱反射により比較的暗い場所においてもＱＲコードの読み取りが簡単にできるようになる。
【図面の簡単な説明】
【００３０】
【図１】本発明の第１実施例に係るタグ組立の外観図
【図２】蛍光体の上にＱＲコードを印刷したタグ組立の断面図
【図３】本発明の第２実施例に係るタグ組立１の分解図
【図４】側面に蛍光体を配置したタグ組立の断面図
【図５】従来のタグ（左側）と本発明に係るタグ組立（右側）の比較
【符号の説明】
【００３１】
１…タグ組立、  ２…プラスチックカード、  ３…ＱＲコード、  ４…ゴールド又はシルバー印刷部、  ５…ケース、  ５ａ…ケース紐、  ６…ケース蓋、  ７…蛍光体、  ８ａ〜ｃ…入射光。
【図１】
2008035784.tif 000003
【図２】
2008035784.tif 000004
【図３】
2008035784.tif 000005
【図４】
2008035784.tif 000006
【図５】
2008035784.tif 000007